(57)【要約】      （修正有）【課題】吸気と遮光機能及び転倒防止機能を有する遮光筒本体と、着脱容易な排気と遮光機能を有する頂部キャップを設けることにより、「ずるけ」の抑制を可能とする黄ニラの筒型軟化栽培器具を提供する。【解決手段】遮光筒本体１は、片端側面に外側開口部を下向きにした複数個のＬ型管と、転倒防止アンカーボルト３を有し頂部キャップは天面と側面に排気孔１４等を有する内部キャップ１２と、排気と遮光機能を有する頂部キャップ１１を重ね合わせ一体化している。頂部キャップ１１は、遮光筒本体１と容易に着脱可能な構成となっている。【選択図】図１
0003161764.tif 000002
【実用新案登録請求の範囲】
【請求項１】
吸気と排気および遮光、倒れ防止機能を有する事を特徴とする、黄ニラの筒型軟化栽培器具で、筒本体は片端側面を貫通した外側の開口部が下向きのＬ形管と、転倒防止アンカーボルトを複数個具える。筒状部には、天面と側面に排気孔を有する内部キャップと、頂部側面に排気孔と天面に遮光機能を保持するＬ形板を複数個具えた外部キャップを、重ね合わせ一体化した着脱容易な頂部キャップから構成される。
【考案の詳細な説明】
【考案の詳細な説明】
【産業上の利用分野】
【０００１】  本考案は、青ニラの株を根元から刈り捨てた後筒型軟化栽培器具を株元に被せて、軟化栽培をするものである。
【背景技術】
【０００２】  黄ニラの栽培は、圃場で育成している青ニラの株を第１１図畦２２の青ニラの地上部を地際２３より刈り取り、弾力性のあるポール２４を半円形に曲げその両端を、畦２２の両側第１１図固定部２５と２５の所で、地中へ１５ｃｍ位差込みポール２４を固定し、次のポール２４は５０ｃｍ離して前と同様に固定して第１３図のように長いトンネル状の骨組み２６が出来る。骨組みの外側へ遮光率１００％の黒色ビニールか白色遮光シート２７を被せ、この遮光フィルム裾全周を覆土２８によって被覆し、１００％遮光トンネル２９とする。この遮光トンネル２９の内部の空気は外気と隔離され、且つ照度はゼロルクスに保たれた状態で軟化栽培する、遮光トンネル型軟化栽培方法があった。【０００３】  夏季の黄ニラ栽培は、〔図１２〜１３〕遮光トンネル前後及び中間部に、トンネル内の熱気を換気する排気管３０を具える。近年では、排気効果を高めるため管の頂部に、電動式強制排気ファンを組込んだ方式も採用されているが、排気効果は不十分で、黄ニラの主産地岡山県でも夏季は良質な黄ニラの安定栽培には、苦慮している。【０００４】  黄ニラ３１は、暗所トンネル内で切株より発芽し、冬季で２０日、夏季で１０日位かけて長さ約４０ｃｍに生育する。この時点で、晴天日を選び遮光シート被い２７を外し急激に照度約７万ルクスの太陽光を約１〜２時間黄ニラ全体に照射する「目くらまし」と称される処置を行い、出荷以降に黄ニラが光合成により緑化変色することを抑制している。「目くらまし」処置後黄ニラを刈取り束ねて切断面を天日乾燥後、良否選別箱詰めし保冷庫に一時保管後出荷する。
【考案が解決しようとする課題】
【０００５】  夏季の真夏日が連続する時期は、遮光トンネル内の温度が５０℃位に上昇し熱気により黄ニラの倒れ、葉先１０の傷みが発生し易く、夜間も遮光トンネル内湿度は１００〜９０％の高湿度状態となり茎の部分が、べたつく「ずるけ」と称される現象が発生し、黄ニラの品質が低下する。
【０００６】  遮光トンネル内の熱気を排気する排気管は、遮光トンネル内の容積が大きいため排気効果も低い。特公平６−５３０２７〔図１３〕で、光遮断通路付吸気管３２と換気扇付排気管３３の組合せ方式が検討され一部実用されているが、夏季真夏日が連続すると、熱気低減効果は期待できない。上記「ずるけ」状態の黄ニラは、「ずるけ」部分を取り除き、黄ニラ全体を流水で洗浄後乾燥して１本毎乾いたタオル等で拭取る処置が必要で、出荷に長時間の労力を浪費する。又、このように水洗い調整したものは、１日後には再び「ずるけ」が発生し易く品質が不安定なものとなり、生産者の信用も落ち価格も低下する。
【０００７】  遮光トンネルのシート被せおよび取外し作業は、遮光シートの巾が広く長尺のため２人作業となる。又、遮光シートは材質が軟弱なため、土壌面を引きずると損傷し易く損傷した孔から光が入り込み、黄ニラが緑色に変色する事がある。更に、遮光トンネルに、カラスが寄り付き遮光シートを嘴で突き孔を開けるなどのいたずらをするなどの問題がある。
【０００８】  黄ニラの栽培中間の成育状況の確認は、遮光シート裾の覆土を取り除き遮光シートを捲り上げるなどの手間を要する。遮光トンネルは強風により飛散することもあり、飛散防止のためにバンド、アンカーなどでトンネルを押え付けるなど、黄ニラの軟化栽培方法上の課題がある。
【課題を解決するための手段】
【０００９】  上記課題を解決するために、本考案における黄ニラの軟化栽培方法は、〔図１〕吸気と遮光機能および倒れ防止機能を有する遮光筒本体１と、排気と遮光機能を有する頂部キャップ１１から構成される筒型軟化栽培器具を、青ニラの地上部地際より刈取りした株に被せて栽培する事を特徴とする、黄ニラの軟化栽培方法。また、本考案におけるその筒型軟化器具の〔図１〕遮光筒本体１は、片端側面を貫通した外側開口部が下向きのＬ形管２を複数個具え、吸気と遮光機能を有する。又、転倒防止アンカーボルト３を具える。頂部キャップ１１は、天面と側面に排気孔を有する内部キャップ１２と、頂部側面に排気孔と天面に遮光機能を保持するＬ形板１７を複数個具えた外部キャップ１５から構成され、内部キャップ１２と外部キャップ１５を重ね合わせて一体化している、吸気と排気および遮光ならびに倒れ防止機能を有する事を特徴とする、黄ニラの筒型軟化栽培器具。
【作用】
【００１０】〔図１４（ａ）〕十分生長した青ニラの株を地上部地際３４より刈取る。次に筒型軟化栽培器具の頂部キャップ１１を外し、遮光筒本体を切取った青ニラ株１株毎に垂直に被せる。遮光筒本体のアンカーボルト３が地際まで差し込まれていることを目視確認し、遮光筒地際部に光が入り込まないように十分土寄せ３５する。遮光筒地際部に、明りが入らぬことを目視確認後遮光筒本体に頂部キャップ１１を被せる。軟化成育は、夏季では１０日前後、秋季では１４日前後で約４０ｃｍの長さに成育する。栽培途中の成育状況の確認は、頂部キャップ１１を取外すことで容易に目視確認が可能で、適切な刈取り時期を判断出来る。収穫は、約４０ｃｍの長さに生育した時点の乾燥した晴天時に行う。その際に必ず、筒型軟化栽培器具を一気に外して黄ニラを太陽光に約１．５時間曝し、黄化の促進と葉の乾燥緑化抑制処置を行う。梅雨時期など天候不順で、収穫適正時に収穫出来ず黄ニラが伸び過ぎて折れ曲がる場合は頂部キャップ１１を外し、長さを切り詰めることで曲がりを防止することが出来る。次に、地際４〜５ｃｍの位置から刈込み、適当な束に輪ゴムで束ね切り口面を上にして、天日乾燥する。切口が乾燥後収穫し長さを揃え、選別後３〜６℃の予冷室に２４時間保管し、緑化抑制と黄化促進処置を行う。出荷は１束５０ｇ毎計量し後輪ゴムで束ね、箱詰して出荷する。
【実施例】
【００１１】  次に、本考案の実施例について図面を参照して説明する。〔図１〜１０、１４）は、本発明の筒型軟化栽培器具の実施例を示す図である。まず構成を説明すると、〔図１〜２〕に示す１は遮光筒本体で、両端開口の直管側面に形成の孔８に２のＬ形管が複数個外側開口部を下向きに固着し、吸気と遮光機能を確保している。３はアンカーボルトで、遮光筒本体１に形成された孔９に差込、止ネジ４はアンカーボルトのネジ孔１０と遮光筒本体形成された孔１１を貫通し、平座金５とナット６で固定される。遮光筒本体１には、夏季の太陽光線による遮光筒本体表面温度上昇を抑制するための、着脱容易な筒形反射シート７を被せ筒型軟化栽培器具の内部温度上昇を抑制する。
〔図１１〕頂部キャップ１１は、内部キャップ１２外部キャップ１５で構成され、内部キャップ１２の天面中央部には排気孔１３、頂部側面には、排気孔１４が複数個形成している。外部キャップ１５の頂部側面には、排気孔１４が複数個形成され、天面内側には遮光機能を保持するＬ形板１７が複数個、タッピングネジ１８で固定している。内部キャップ１２と、外部キャップ１５は、各々頂部側面排気孔を４５度ずらした位置関係で重ね合わせ、止ネジ１９平座金２０ナット２１等若しくはリべットと平座金で一体化固定している。
本考案の器具の吸排気作用は〔図１４（ｂ）〕に示すように、遮光筒本体下部のＬ形吸気管２から外気を吸気し、遮光筒内部の熱気を頂部キャップ１４の排気孔から排出する。本考案の器具は、Ｌ形吸気管２の開孔部が下向きに固着し、頂部キャップが２重構造で、Ｌ形板遮光を具えていることにより遮光機能を保持している。遮光筒本体と頂部キャップの接合は、遮光筒本体に頂部キャップを深く被せることで嵌合し、着脱も容易にできる。
【考案の効果】
【００１２】  以上説明してきたように、本考案は上述のとおり構成されているため、検証試験結果以下の効果がある事を確認できた。
（１）本考案の筒型軟化栽培器具による黄ニラの安定した軟化栽培には、有効である。
筒型軟化栽培器具（以下器具という）内の熱気排気効果は、〔図１５〕の器具内温湿度測定試験データから考察すると、外気温度が上昇すると器具内温度も上昇するが湿度は急激に低下し以降は温度の変動に追従して湿度も変動を持続する。このことから、器具内の吸排気換気作用があることが推定できる。（このことは、煙による排煙効果試験および試験栽培でも確認済）以上の結果から、本考案の器具では、黄ニラの「ずるけ」現象が発生する５０℃前後の高温で、湿度９０％以上の状態が持続することは想定できない。
（２）本考案による栽培方法は従来のトンネル被せ方式に比べ、１名作業でも効率良く遮光作業ができる。
（３）本考案による器具は１株毎被せて黄ニラの軟化栽培を行うので、こまめな生産および出荷管理が可能となる。
（４）同、筒型なので黄ニラが生育し過ぎても筒に支えられるので、倒れる事は無い。
（５）同、頂部キャップは着脱可能なので、栽培過程での黄ニラの成育状況を容易に確認できる。
（６）同、アンカーボルトを具えてあるので、強風による転倒の恐れは無い。
（７）同、遮光シートを使用していないので、カラスなど鳥害の心配も無く、耐久性に優れている。
（８）器具は、一般家庭菜園やプランターによるベランダ栽培にも適用でき、食育教育などにも活かされ家庭で新鮮な黄ニラを食する事もできる。
【図面の簡単な説明】
【００１３】
【図１】本考案の１実施例を示す正面図である。
【図２】同分解斜視図である。
【図３】同遮光筒本体１の平面図である。
【図４】遮光筒本体１の正面図である。
【図５】内部キャップ１２の平面図である。
【図６】内部キャップ１２の正面図である。
【図７】外部キャップ１５の平面図である。
【図８】外部キャップ１５の正面図である。
【図９】外部キャップ１５の底面図である。
【図１０】頂部キャップ排気孔部の説明図である。
【図１１】従来の技術の説明図で黄ニラ栽培の最初のトンネル被せ状態の横断面図である。
【図１２】同黄ニラ刈取り時のトンネルの横断面図である。
【図１３】特公平６−５３０２７Ｌ型吸気筒と、換気扇を取付けたＬ型排気筒を取付けたトンネルの横断面図である。
【図１４】本考案の筒型軟化栽培筒を畦３６に取付けた状態（ａ）、および吸排気作用の説明図（ｂ）である。
【図１５】同器具内温湿度測定試験データ
【符号の説明】  １：遮光筒本体      ２：Ｌ形吸気管      ３：アンカーボルト    ７：反射シート
１１：頂部キャップ  １２：内部キャップ  １５：外部キャップ    １７：Ｌ形板
【図１】
0003161764.tif 000003
【図２】
0003161764.tif 000004
【図３】
0003161764.tif 000005
【図４】
0003161764.tif 000006
【図５】
0003161764.tif 000007
【図６】
0003161764.tif 000008
【図７】
0003161764.tif 000009
【図８】
0003161764.tif 000010
【図９】
0003161764.tif 000011
【図１０】
0003161764.tif 000012
【図１１】
0003161764.tif 000013
【図１２】
0003161764.tif 000014
【図１３】
0003161764.tif 000015
【図１４】
0003161764.tif 000016
【図１５】
0003161764.tif 000017
【手続補正書】
【提出日】平成22年5月21日(2010.5.21)
【手続補正１】
【補正対象書類名】実用新案登録請求の範囲
【補正対象項目名】全文
【補正方法】変更
【補正の内容】
【実用新案登録請求の範囲】
【請求項１】
遮光筒本体１の下部側面に形成の孔８に固着したＬ型吸気管２と、前記孔の下方に形成の孔９に固定した転倒防止アンカーボルト３を複数個備え、前記遮光筒本体１上部に、側面に排気孔１４と天面にＬ形遮光版１７を複数個備える外部キャップ１５と、天面に排気孔１３側面に排気口１４を形成する内部キャップ１２を重ね合せ一体化した頂部キャップ１１を被せて構成される、吸気と排気及び遮光、転倒防止機能を有する事を特徴とする黄ニラの筒型軟化栽培器具。
【手続補正２】
【補正対象書類名】明細書
【補正対象項目名】００１１
【補正方法】変更
【補正の内容】
【００１１】
【実施例】
次に、本考案の実施例について図面を参照して説明する。図１〜１０、１４は本考案の筒型軟化栽培器具の実施例を示す図である。
図１、２に示す遮光筒本体１の下部側面に形成の孔８に、吸気と遮光機能を確保するＬ形管２が複数個外側開口部を下向きに固着してある。
３は転倒防止のアンカーボルトで、前記孔８の下方に形成された孔９に差込、止ネジ４をアンカーボルトの貫通孔１０と、遮光筒本体１に形成された孔３７を貫通し、平座金５とナット６で固定される。遮光筒本体１には、夏季太陽光による遮光筒表面温度上昇を抑制するための、着脱可能な反射シート７を被せ筒型軟化栽培器具の内部温度上昇を抑制する。
図１、２に示す頂部キャップ１１は内部キャップ１２外部キャップ１５で構成され、内部キャップ１２の天面中央部には、排気孔１３、頂部側面には、排気孔１４が複数個形成している。外部キャップ１５の頂部側面には、排気孔１４が複数個形成され、天面内側には遮光機能を保持するＬ形板１７が複数個タッピングネジ１８で固定されている。内部キャップ１２と、外部キャップ１５は、各々頂部側面排気孔を４５度ずらした位置関係で重ね合わせ、止ネジ１９平座金２０ナット２１等若しくはリベットと平座金で一体化固定している。
本考案の器具の吸排気作用は図１４（ｂ）示すように、遮光筒本体下部のＬ形吸気管２から外気を吸気し、遮光筒内部の熱気を頂部キャップ１４の排気孔から排出する。本考案の器具の遮光機能は、Ｌ形吸気管２の開口部を下向きに固着し、頂部キャップを２重構造とし、Ｌ形遮光板を備えることで遮光機能が保持される。遮光筒本体１と頂部キャップ１１の接合は、遮光筒本体に頂部キャップを深く被せることで、容易に着脱ができる。
【手続補正３】
【補正対象書類名】図面
【補正対象項目名】図２
【補正方法】変更
【補正の内容】
【図２】
0003161764.tif 000018
【手続補正４】
【補正対象書類名】図面
【補正対象項目名】図４
【補正方法】変更
【補正の内容】
【図４】
0003161764.tif 000019